(57)【要約】【課題】  データ処理装置への文字や指示の入力を，キーボードを用いずに，少ない操作によって行える装置を提供する。【解決手段】  入力指示部１が装着された指をユーザが動かすと，入力処理部２の情報読取部２１は，所定の通信可能領域内に近づいた入力指示部１のＩＣタグ１１が発信するタグ識別情報を読み取り，読み取ったタグ識別情報と自己の読取部識別情報との組を処理確定部２３へ送出する。処理確定部２３は，データ格納部２２の入力情報割り当てテーブルを参照して，タグ識別情報と読取部識別情報との組み合わせに対応する入力情報を特定し，通信部２４を介して，操作対象であるデータ処理装置３へ特定した入力情報を入力処理する。【選択図】  図１
2006293942.tif 000002
【特許請求の範囲】
【請求項１】
操作対象であるデータ処理装置に対する入力処理を行う入力処理装置であって，
固有のタグ識別情報を内部記憶部に保持し，前記タグ識別情報を発信する情報発信部を有し，ユーザの操作に従って移動可能なように設けられた複数の入力指示部と，
固有の読取部識別情報を割り当てられ，前記入力指示部の情報発信部が所定の通信可能な空間領域内に位置する場合に，前記情報発信部が発信するタグ識別情報を読み取り，前記読み取ったタグ識別情報と自処理部へ割り当てられた読取部識別情報との組を送出する情報読取部と，
タグ識別情報と読取部識別情報との組み合わせごとに，操作対象であるデータ処理装置へ入力する所定の情報を割り当てた入力情報割り当て情報を格納する情報格納部と，
前記情報格納部の入力情報割り当て情報をもとに，前記タグ識別情報と前記読取部識別情報との組み合わせに対応する入力情報を特定し，前記特定した入力情報を前記データ処理装置へ入力処理する処理確定部とを備える
ことを特徴とする入力処理装置。
【請求項２】
請求項1記載の入力処理装置は，複数の情報読取部を備える
ことを特徴とする入力処理装置。
【請求項３】
請求項1または請求項２のいずれか一項に記載の入力処理装置において，
前記入力指示部の接触を検出する所定の面領域であって前記情報読取部に関連付けられた接触認識面を有し，前記接触認識面に前記入力指示部が接触したことを認識した場合に，前記認識した接触認識面に関連付けられた前記情報読取部へ前記接触を通知する接触認識部を備えて，
前記情報読取部は，前記接触が通知された場合に，前記接触した入力指示部に備えられた情報発信部からタグ識別情報を読み取る
ことを特徴とする入力処理装置。
【請求項４】
請求項1ないし請求項３のいずれか一項に記載の入力処理装置において，
前記複数の入力指示部は，各々が，別個に独立した部品として構成されている
ことを特徴とする入力処理装置。
【請求項５】
請求項1ないし請求項３のいずれか一項に記載の入力処理装置において，
前記複数の入力指示部は，一つの支持体に固着され，かつ前記入力指示部の各々が別個に可動するように構成されている
ことを特徴とする入力処理装置。
【請求項６】
請求項1ないし請求項３のいずれか一項に記載の入力処理装置において，
前記複数の入力指示部は，五指の各指に割り当てられるように構成されるものである
ことを特徴とする入力処理装置。
【請求項７】
操作対象であるデータ処理装置に対する入力処理を行う装置であって，固有のタグ識別情報を内部に保持する情報発信部を有し，ユーザの操作に従って移動可能なように設けられた複数の入力指示部と，固有の読取部識別情報が割り当てられ，前記情報発信部の情報を読み取る情報読取部を備える入力処理装置において実行される入力処理方法であって，
入力処理装置が，
前記入力指示部の情報発信部が所定の通信可能な空間領域内に位置する場合に，前記情報発信部が発信するタグ識別情報を読み取り，前記読み取ったタグ識別情報と自処理部に割り当てられた読取部識別情報との組を送出する情報読取ステップと，
タグ識別情報と読取部識別情報との組み合わせごとに，操作対象であるデータ処理装置へ入力する所定の情報を割り当てた入力情報割り当て情報を格納する情報格納部へアクセスし，前記入力情報割り当て情報をもとに，前記タグ識別情報と読取部識別情報との組み合わせに対応する入力情報を特定し，前記特定した入力情報を前記データ処理装置へ入力処理する処理確定ステップとを備える
ことを特徴とする入力処理方法。
【請求項８】
請求項７記載の入力処理方法において，
前記入力処理装置が，前記入力指示部の接触を検出する所定の面領域であって前記情報読取部に関連付けられた接触認識面において前記入力指示部が接触したことを認識した場合に，前記接触認識面に関連付けられた前記情報読取部へ前記接触を通知する接触認識ステップを備えるとともに，
前記情報読取ステップでは，前記接触認識ステップにおいて前記接触が通知された場合に，前記接触した入力指示部に備えられた情報発信部のタグ識別情報を読み取る
ことを特徴とする入力処理方法。
【発明の詳細な説明】
【技術分野】
【０００１】
本発明は，操作対象であるデータ処理装置への入力処理を行う入力処理装置に関する。特に，データ処理装置を携行した場所で入力操作を行うような場合に，データ処理装置への文字や指示の入力を，簡単な操作によって行えるようにするものである。
【背景技術】
【０００２】
例えば，コンピュータ・システムなどの計測や保守などの作業を行う場合に，作業員は，持参したノート型のコンピュータに，種々のコマンドやデータを入力して作業を行う。この場合に，コンピュータへの入力操作は，通常，キーボードやマウスなどの入力装置を用いて行う。
【０００３】
しかし，作業現場が，ノート型のコンピュータを机上に置いて入力操作を行える環境であるとは限らない。例えば，コンピュータを床上に置いて入力操作をしなければならなかったり，作業員が片手で保持しながら入力操作をしなければならなかったりと，さまざまな状況下での入力操作が想定される。このような状況下では，ＪＩＳ規格配列のキーボード（フルキーボード）を使用して文字を入力したり，マウスによってカーソルを移動させて指示を入力したりすることは，非常に困難であり，結果的に作業効率をも低下させることになる。
【０００４】
机上などにコンピュータを置いて通常のキーボードによる入力操作を行えないような環境下で入力操作を支援する従来技術として，特許文献１の入力支援システムがある。この入力支援システムは，指を使用しないで文字の入力操作を行うユーザを支援するシステムであり，例えば，ユーザの足先など，身体の所定の部位にＲＦ−ＩＤタグを貼付し，足先のＲＦ−ＩＤタグを介してアンテナ型のリーダ・ライタで読み取った足先の移動動作から，予め移動動作に対応させておいた所定の指示を情報処理装置に入力できるようにするものである。
【０００５】
また，フルキーボードによる文字入力の代わりに，テンキー文字入力方式がある。テンキー文字入力方式は，携帯電話器の入力部のように，１つのキーに複数の文字を割り当て，キーの押下回数によって文字を選択して入力する方式である。
【特許文献１】特開２００２−１１６８７５号公報
【発明の開示】
【発明が解決しようとする課題】
【０００６】
しかし，特許文献１のシステムでは，リーダ・ライタが，足先に貼付されたＲＦ−ＩＤタグの応答波を1回受信する度に，2次元マトリックスに構成された文字パレットの位置を上下または左右に１つずつ移動して入力する文字を決定するものである。そのため，１文字または１つの指示を入力するために，足先などＲＦ−ＩＤタグを貼付した部位を何度も動かす必要がある。このシステムは，手の不自由な人が，指以外の運動能力を保つ身体の部位を利用して入力を行うことを想定しているものであり，計測や保守作業における文字や命令の入力に適用した場合には，かえって入力操作の効率を悪化させることになる。
【０００７】
また，携帯端末などに利用されるテンキー文字入力方式は，一つの数字キーに「あ」，「い」，「う」などの複数の文字が割り当てられているため，例えば，文字「う」を入力するためには，数字キーを３回，さらに決定キーを押すという操作が必要である。１文字の入力に対し複数回のキー操作を行わなければならないために，入力操作の効率が悪く，作業における文字入力方式として適切ではない。
【０００８】
以上の問題点から，コンピュータに対する通常の入力操作を行えるスペースがないような状況において，キーボードを使用せずに文字や指示などの入力を，操作効率を落とすことなく容易に行える入力装置が要求されている。
【０００９】
本発明は，キーボードを使用することなく，文字や命令などの入力を少ない操作で行える入力処理装置および入力処理方法を提供することを目的とする。
【課題を解決するための手段】
【００１０】
本発明は，操作対象であるデータ処理装置に対する入力処理を行う入力処理装置であって，１）固有のタグ識別情報を内部記憶部に保持し，前記タグ識別情報を発信する情報発信部を有し，ユーザの操作に従って移動可能なように設けられた複数の入力指示部と，２）固有の読取部識別情報を割り当てられ，前記入力指示部の情報発信部が所定の通信可能な空間領域内に位置する場合に，前記情報発信部が発信するタグ識別情報を読み取り，前記読み取ったタグ識別情報と自処理部へ割り当てられた読取部識別情報との組を送出する複数の情報読取部と，３）タグ識別情報と読取部識別情報との組み合わせごとに，操作対象であるデータ処理装置へ入力する所定の情報を割り当てた入力情報割り当て情報を格納する情報格納部と，４）前記情報格納部の入力情報割り当て情報をもとに，前記タグ識別情報と読取部識別情報との組み合わせに対応する入力情報を特定し，前記特定した入力情報を前記データ処理装置へ入力処理する処理確定部とを備えることを特徴とする。
【００１１】
本発明は，以下のように動作する。本発明の入力処理装置は，あらかじめ，情報格納部に，タグ識別情報と読取部識別情報との組み合わせごとに，操作対象であるデータ処理装置へ入力する所定の情報を割り当てた入力情報割り当て情報（入力情報割り当てテーブル）を格納しておく。そして，情報発信部を１つずつ有する複数の入力指示部の各々は，例えば，作業者（ユーザ）の指先などに装着されて使用される。
【００１２】
入力指示部が装着された指をユーザが動かすことによって，複数の入力指示部のいずれか一つが入力処理装置の情報読取部へ近づき，複数の情報読取部の一つの情報読取部の所定の通信可能な空間領域内に位置するようになると，情報読取部は，前記空間領域内で最も近傍にある入力指示部に設けられた情報発信部が発信するタグ識別情報を読み取り，読み取ったタグ識別情報と自処理部に割り当てられた読取部識別情報との組を処理確定部へ送出する。処理確定部は，情報格納部の入力情報割り当てテーブルを参照して，タグ識別情報と読取部識別情報との組み合わせに対応する入力情報を特定し，操作対象であるデータ処理装置へ特定した入力情報を入力処理する。
【００１３】
これにより，ユーザは，入力処理装置の情報読取部へ，入力指示部を装着した指を使い分けて近づけるだけで，所定の入力情報である文字や命令をデータ処理装置へ入力することができる。
【００１４】
また，本発明の入力処理装置は，上記の構成をとる場合に，５）前記入力指示部の接触を検出する所定の面領域であって前記情報読取部に関連付けられた接触認識面を有し，前記接触認識面に前記入力指示部が接触したことを認識した場合に，前記認識した接触認識面に関連付けられた前記情報読取部へ前記接触を通知する接触認識部を備えて，前記情報読取部は，前記接触が通知された場合に，前記接触した入力指示部に備えられた情報発信部からタグ識別情報を読み取ることを特徴とする。
【００１５】
この場合に，本発明は，入力指示部が装着された指をユーザが動かすことによって，複数の入力指示部のいずれか一つが，入力処理装置の情報読取部にそれぞれ関連付けられた接触認識面の一つに接触したことを認識した場合に，入力指示部の接触を該当する前記情報読取部へ通知する。そして，通知された情報読取部のみが，最も近傍にある，すなわち接触した入力指示部に備えられた情報発信部からタグ識別情報を読み取る。
【００１６】
これにより，ユーザは，入力処理装置の情報読取部に関連付けられた接触認識面を入力指示部を装着した指を使い分けて触れることによって，所定の入力情報である文字や命令をデータ処理装置へより確実に入力することができる。
【００１７】
また，本発明の入力処理装置の複数の入力指示部は，各々が，別個に独立した部品として構成されていることを特徴とする。さらに，複数の入力指示部は，例えば手袋のような形状の一つの支持体に固着され，かつ各入力指示部が別個に可動するように構成されていることを特徴とする。
【００１８】
また，本発明は，上記の構成をとる入力処理装置において実行される入力処理方法であることを特徴とするものである。
【発明の効果】
【００１９】
本発明によれば，複数の入力指示部のいずれかを，入力処理装置の本体に備えた情報読取部へ近づけることによって，近づけた入力指示部の情報発信部と読み取る情報読取部とが保持する識別情報の組み合わせに応じてあらかじめ設定された入力情報をデータ処理装置へ入力することができる。例えば，入力指示部を片手の五指に割り当てて装着した場合に，入力処理装置のどの情報読取部にどの指を近づけるかという簡単な操作によって，異なる入力情報を入力することができる。よって，フルキーボードを置いて入力するスペースがないような状況でも，文字や命令の入力を行うことができる。その際に，煩わしい入力操作を行わずに，容易かつ効率的に入力を行うことができる。
【００２０】
また，入力処理装置に備えられた接触認識部によって，入力指示部が装着された指などの接触が認識された情報読取部のみが，最も近傍にある入力指示部の情報発信部のタグ識別情報を読み取るようにする。これにより，情報読取部の通信可能な空間領域が重なることによって一つの情報発信部のタグ識別情報を同時に複数の情報読取部で読み取るという状況を回避し，読み取り処理の精度を高めることができる。
【００２１】
また，フルキーボードは，ＪＩＳ規格に準拠したキー数の配置のために一定の面積が必要であり，このキー配列の面積部分が小型化への制約となっている。そのため，狭い場所では，フルキーボードを備えるコンピュータ自体を使用することが困難となることもあるが，本発明のような入力処理装置を備えたコンピュータを実現することによって，コンピュータ本体の形状をいっそう小型化することが可能となる。
【発明を実施するための最良の形態】
【００２２】
以下，本発明の最良の形態を図を用いて説明する。
【００２３】
図１は，第１の実施例における本発明の構成例を示す図である。本発明の入力処理装置は，複数の入力指示部１および入力処理部２から構成される。
【００２４】
入力指示部１は，ＩＣタグ１１（１１ａ，１１ｂ）を備える。ＩＣタグ１１は，固有のタグ識別情報を内部記憶部に保持し，タグ識別情報を発信する処理手段である。
【００２５】
入力処理部２は，複数の情報読取部２１，データ格納部２２，処理確定部２３，および通信部２４を備える。
【００２６】
情報読取部２１は，固有の読取部識別情報を割り当てられ，入力指示部１のＩＣタグ１１が通信可能な空間領域内に位置する場合に，ＩＣタグ１１が発信するタグ識別情報を読み取り，読み取ったタグ識別情報と自処理部へ割り当てられた読取部識別情報との組を処理確定部２３へ送出する処理手段である。
【００２７】
データ格納部２２は，タグ識別情報と読取部識別情報との組み合わせごとに，操作対象であるデータ処理装置３へ入力する所定の情報（文字，命令など）を割り当てた入力情報割り当て情報を格納する記憶手段である。
【００２８】
処理確定部２３は，データ格納部２２の入力情報割り当て情報をもとに，情報読取部２１から受け取ったタグ識別情報と読取部識別情報との組み合わせに対応する入力情報を特定し，特定した入力情報を通信部２４へ送出する処理手段である。
【００２９】
通信部２４は，処理確定部２３から受け取った入力情報をデータ処理装置３へ送信する処理手段である。
【００３０】
データ処理装置３は，入力操作の対象となる処理装置であって，入力処理部２の通信部２４から入力情報を受信する通信部３１，入力情報を処理する処理部３２，処理部３２で処理された入力情報を表示する表示部３３を備える。
【００３１】
本実施例において，入力処理装置は，ＲＦＩＤ（Ｒａｄｉｏ  Ｆｒｅｑｕｅｎｃｙ  ＩＤｅｎｔｉｆｉｃａｔｉｏｎ）技術を用いて実施する。ＲＦＩＤは，ＩＤタグと呼ばれる情報記憶部を備えるＩＣチップなどの小型電子デバイスと，リーダ・ライタと呼ばれる所定の周波数の電波を利用してＩＤタグとのデータの読み書きを行う装置を用いて，非接触でデータ読み書きを行う技術である。本発明は，図１に示す構成例の場合に，ＩＣタグ１１としてＲＦＩＤのＩＤタグを利用し，また，入力処理部２の情報読取部２１としてＲＦＩＤのリーダを利用する。また，情報読取部２１は，入力指示部１のＩＣタグ１１のタグ識別情報を誤りなく読み取れるように，ＩＣタグ１１と通信可能な空間領域を適切に設定する必要がある。本例では，情報読取部２１は，通信可能距離が数ｍｍ程度の密着型の通信機能（例えばＩＳＯ／ＩＥＣ１０５３６に準拠する通信機能）を備えるものとする。
【００３２】
図２は，入力指示部１の構成例を示す図である。図２に示す複数の入力指示部１（１ａ，１ｂ，１ｃ，１ｄ，１ｅ）は，各々が，例えば，ユーザの片手の五指に割り当てられる別個に独立した円柱状の部品として構成される。ユーザは，片手に図２に示すように構成された入力指示部１のセットを装着し，指に装着した入力指示部１を入力処理部２の情報読取部２１へ近づけたり遠ざけたりして入力を行う。図２に示す入力指示部１を２セット用意して，両手に装着するようにしてもよい。この場合に，１０個の入力指示部１のＩＣタグ１１は，すべて固有のタグ識別情報を保持する。また，入力指示部１は，片面に粘着面を設けて，爪などに直接貼付できるように構成されてもよい。
【００３３】
図３は，入力指示部１の別の構成例を示す図である。図３に示す複数の入力指示部１（１ａ，１ｂ，１ｃ，１ｄ，１ｅ）は，手袋形状の支持体の各指先の先端部にあたる位置に固着され，かつ各々が別個に可動するように構成されている。支持体は柔軟性を備えた素材で構成されるものとし，ユーザは，この手袋形状の支持体を手に装着し，入力処理部２の情報読取部２１へ指を近づけたり遠ざけたりして入力を行う。
【００３４】
図４は，第１の実施例における入力処理部２の装置例を示す図である。本実施例において，図４（Ａ）に示すように，入力処理部２は，装置上面に，６つの情報読取部２１それぞれが，所定の領域を持つ電波受信機構を備える装置として実施される。６つの情報読取部２１は，それぞれ，第１読取部２１ａ〜第６読取部２１ｆとする。図４（Ｂ）に示すように，入力処理部２の装置上面部に備えられた情報読取部２１は，非金属性の入力処理部２の部材を透過してＩＣタグ１１と通信が可能であり，入力指示部１のＩＣタグ１１が応答波として発信するタグ識別情報を読み取る。
【００３５】
図５は，データ格納部２２に格納される情報の例を示す図である。図５（Ａ）のデータ格納部２２は，５つの入力指示部１（１ａ，１ｂ，１ｃ，１ｄ，１ｅ）がユーザの片手（右手）の五指に割り当てられる場合のＩＣタグ１１の固有のタグ識別情報を示すＩＣタグ割り当てテーブルの例を示す。例えば，右手の第１の指（親指）に割り当てられる入力指示部１ａのＩＣタグ１１ａ（図２参照）には，タグ識別情報「ａ−１」が保持されていることを示す。同様に，右手の第２の指（人差し指）用の入力指示部１ｂのＩＣタグ１１ｂには，タグ識別情報「ａ−２」が，右手の第３の指（中指）用の入力指示部１ｃのＩＣタグ１１ｃには，タグ識別情報「ａ−３」が，右手の第４の指（薬指）用の入力指示部１ｄのＩＣタグ１１ｄには，タグ識別情報「ａ−４」が，右手の第５の指（小指）用の入力指示部１ｅのＩＣタグ１１ｅには，タグ識別情報「ａ−５」が，それぞれ保持されていることを示す。
【００３６】
図５（Ｂ）は，図４に示す情報読取部２１の構成の場合に，タグ識別情報と読取部識別情報との組み合わせに割り当てられた入力情報を示す入力情報割り当てテーブルの例を示す。５つのＩＣタグ１１ａ〜１１ｅと６つの情報読取部２１ａ〜２１ｆとの組み合わせにより，３０の入力情報を設定することができる。ここでは，入力情報として，２６文字のアルファベットおよび上，下，左，右へのカーソル移動指示の命令が割り当てられるとする。ここで，入力情報割り当てテーブルには，アルファベット文字やカーソル移動指示の命令の他，数字，所定の動作指示の命令などが格納される。特定の用途のための入力情報として，コンピュータ・システムの保守作業においてよく使用される命令，例えば「ｐｉｎｇ」，「ｔｒａｃｅｒｏｕｔｅ」などのコマンドが格納されてもよい。
【００３７】
図６に，図５（Ｂ）の入力情報割り当てテーブルにもとづいて６つの情報読取部２１の各々で入力できる情報の例を示す。ここで６つの情報読取部２１ａ〜２１ｆを，それぞれ第１読取部Ｒ１，第２読取部Ｒ２，第３読取部Ｒ３，第４読取部Ｒ４，第５読取部Ｒ５，第６読取部Ｒ６とすると，第１読取部Ｒ１に指を近づけることによって，「カーソル左，文字ａ，ｂ，ｃ，ｄ」をデータ処理装置３へ入力することができる。
【００３８】
具体的には，第１読取部Ｒ１に入力指示部１ａを装着した親指を近づけると「文字ａ」を入力でき，第１読取部Ｒ１に入力指示部１ｂを装着した人指し指を近づけると「カーソル左移動の命令」を入力できる。同様に，第４読取部Ｒ４に入力指示部１ａを装着した親指を近づけると「文字ｍ」を入力でき，入力指示部１ｂを装着した人指し指を近づけると「文字ｎ」を入力できる。
【００３９】
図７は，第１の実施例における本発明の処理の流れを示す図である。
【００４０】
第１の実施例において，入力処理部２の情報読取部２１は，入力指示部１のＩＣタグ１１が発信するタグ識別情報を読み取ることができる状態として待機している。そして，入力処理部２に入力指示部１が近づくと，複数の情報読取部２１のうちの一つが，最も近傍にある入力指示部１のＩＣタグ１１のタグ識別情報を読み取る（ステップＳ１０）。ＩＣタグ１１が読み取り可能であれば（ステップＳ１１のＹＥＳ），読み取ったＩＣタグ１１のタグ識別情報と自己の読取部識別情報との組を処理確定部２３へ送出する（ステップＳ１２）。処理確定部２３は，データ格納部２２の入力情報割り当てテーブルを参照して，タグ識別情報と読取部識別情報との組をもとに割り当てられた入力情報を特定する（ステップＳ１３）。そして，通信部２４は，特定した入力情報をデータ処理装置３へ送信して（ステップＳ１４），処理を終了する。
【００４１】
なお，ＩＣタグ１１が読み取り可能でなければ（ステップＳ１１のＮＯ），情報読取部２１で，最も近傍にある入力指示部１のＩＣタグ１１のタグ識別情報を読み取る処理を繰り返す（ステップＳ１０）。
【００４２】
本発明では，複数の入力指示部１のどの入力指示部１のＩＣタグのタグ識別情報を，入力処理部２のどの情報読取部２１が読み取るかという組み合わせによって，複数の情報を選択的に入力することができる。どの指を入力処理装置のどの部分に近づけるかという，簡単な１回の操作でデータ処理装置３へ入力することができる。
【００４３】
図８は，第２の実施例における本発明の構成例を示す図である。第２の実施例における入力処理装置は，第１の実施例における構成例とほぼ同様であるが，入力処理部２に，情報読取部２１の各々に関連付けられた接触認識部２５が追加して構成される。なお，図６に示す構成例において，図１に示す処理手段と同一の番号が付与された処理手段は，同等の作用を行うものである。
【００４４】
接触認識部２５は，入力指示部１の接触を検出する所定の面領域であって情報読取部２１に関連付けられた接触認識面を有して，接触認識面に入力指示部１が接触したことを認識した場合に，認識した接触認識面に関連付けられた情報読取部２１へ入力指示部１の接触を通知する処理手段である。具体的には，ユーザが入力指示部１を装着した指で入力処理部２に接触認識部２５として設けられた接触認識面を押下すると，接触認識部２５は，指の押下による圧力の変化を検知して，入力指示部１が接触したことを認識する。
【００４５】
そして，情報読取部２１は，通常状態では，入力指示部１のＩＣタグ１１が発信するタグ識別情報の受信処理を休止した状態で待機し，接触認識部２５から入力指示部１の接触が通知された場合にのみ，受信処理をアクティブにして，最も近傍にある入力指示部１，すなわち接触認識面に接触している入力指示部１のＩＣタグ１１からタグ識別情報を読み取る。
【００４６】
図９は，第２の実施例における入力処理部２の装置例を示す図である。
【００４７】
本実施例において，図９（Ａ）に示すように，入力処理部２の装置上面には，６つの情報読取部２１および接触認識部２５が，それぞれ対として構成される。接触認識部２５は，所定の領域の接触認識面を備える機構として実施される。６つの情報読取部２１は，それぞれ，第１読取部２１ａ〜第６読取部２１ｆとし，６つの接触認識部２５は，それぞれ，第１認識部２５ａ〜第６認識部２５ｆとする。
【００４８】
図９（Ｂ）に示すように，入力処理部２の装置上面において，接触認識部２５の接触認識面は，情報読取部２１の上部に重なるように設けられて，外部からの圧力を検知する機構として実施される。接触認識面の下部に備えられる情報読取部２１は，接触認識面を透過してＩＣタグ１１と通信が可能であり，入力指示部１のＩＣタグ１１が応答波として発信するタグ識別情報を読み取る。第１認識部２５ａは，入力指示部１の接触を認識した場合に，第１認識部２５ａに関連付けられた第１読取部２１ａへ接触の認識を通知する。そして，第１読取部２１ａのみが処理をアクティブにして，接触した入力指示部１のＩＣタグ１１のタグ識別情報を読み取る。このとき，他の情報読取部２１ｂ〜２１ｆは処理を休止している。
【００４９】
図１０は，第２の実施例における本発明の処理の流れを示す図である。
【００５０】
第２の実施例において，入力処理部２の情報読取部２１は，ＩＣタグ１１が発信するタグ識別情報の読み取り処理を休止した状態で待機する。そして，入力処理部２の接触認識部２５に設けられた接触認識面に入力指示部１を装着したユーザの指，または入力指示部１が接触すると，接触認識部２５は，この接触を認識して，関連付けられた情報読取部２１へ接触を通知する（ステップＳ２０）。そして，通知を受けた情報読取部２１は，最も近傍にある入力指示部１すなわち接触した入力指示部１のＩＣタグ１１のタグ識別情報を読み取り（ステップＳ２１），読み取ったＩＣタグ１１のタグ識別情報と自己の読取部識別情報との組を処理確定部２３へ送出する（ステップＳ２２）。処理確定部２３は，データ格納部２２の入力情報割り当てテーブルを参照して，タグ識別情報と読取部識別情報との組をもとに割り当てられた入力情報を特定する（ステップＳ２３）。そして，通信部２４は，特定した入力情報をデータ処理装置３へ送信して（ステップＳ２４），処理を終了する。
【００５１】
これにより，情報読取部２１の通信可能領域が重なる状態などによって，ＩＣタグ１１のタグ識別情報がユーザが意図しなかった情報読取部２１によって読み取られるという誤動作を回避し，情報読取処理精度を高くすることができる。
【００５２】
以上,本発明をその実施の形態により説明したが,本発明はその主旨の範囲において種々の変形が可能であることは当然である。
【００５３】
第１および第２の実施例において，入力指示部１を装着する部材としてユーザの指を想定している。これは，入力指示部１をユーザの指に装着させることによって，ユーザは，従来の入力操作におけるキータッチとよく似た自然な動作で入力を行えることを考慮したものである。しかし，本発明では，入力指示部は，例えばロボットなどの機械の複数の可動部分に割り当てて固着されるようにしてもよい。また，入力指示部１として複数の部位にＩＣタグ１１を固着したスタイラスなどを使用するようにしてもよい。
【００５４】
また，実施例として，５つの入力指示部および６つの情報読取部がそれぞれ有する識別情報を用いて入力情報を割り当てる処理例を用いたが，本例は，少なくとも２つの入力指示部と１つの情報読取部の構成によっても実施することができる。また，入力指示部と情報読取部の構成数を適切に増減させることで，使用目的に合わせた入力情報を適切に割り当てることができる。
【図面の簡単な説明】
【００５５】
【図１】第１の実施例における本発明の構成例を示す図である。
【図２】入力指示部の構成例を示す図である。
【図３】入力指示部の別の構成例を示す図である。
【図４】第１の実施例における入力処理部の装置例を示す図である。
【図５】データ格納部に格納される情報の例を示す図である。
【図６】図５（Ｂ）の入力情報割り当てテーブルにもとづいて６つの情報読取部の各々で入力できる情報の例を示す。
【図７】第１の実施例における本発明の処理の流れを示す図である。
【図８】第２の実施例における本発明の構成例を示す図である。
【図９】第２の実施例における入力処理部の装置例を示す図である。
【図１０】第２の実施例における本発明の処理の流れを示す図である。
【符号の説明】
【００５６】
１  入力指示部
１１  ＩＣタグ
２  入力処理部
２１  情報読取部
２２  データ格納部
２３  処理確定部
２４  通信部
２５  接触認識部
３  データ処理装置
３１  通信部
３２  処理部
３３  表示部
【図１】
2006293942.tif 000003
【図２】
2006293942.tif 000004
【図３】
2006293942.tif 000005
【図４】
2006293942.tif 000006
【図５】
2006293942.tif 000007
【図６】
2006293942.tif 000008
【図７】
2006293942.tif 000009
【図８】
2006293942.tif 000010
【図９】
2006293942.tif 000011
【図１０】
2006293942.tif 000012